(57)【要約】【課題】ミラーリングによる状態管理を行い、状態の二重管理をしない。【解決手段】ベースバンド制御機能を有するベースバンド制御手段１４と、ベースバンド制御手段１４に対する休止設定及び休止解除を行う保守監視制御手段１１と、ベースバンド制御手段に対する呼設定及び呼解除を行う呼処理監視制御手段１２と、保守監視制御手段１１と呼処理監視制御手段とが共有する情報を記憶する共有グローバルメモリ手段１３ａと、この共有グローバルメモリ手段１３ａが記憶する情報の一部をミラーリングして記憶する個別グローバルメモリ手段１３ｂと、を含む共有メモリ手段１３と、を備える。【選択図】　　　図１
2004078588.tif 000002
【特許請求の範囲】
【請求項１】
保守監視制御する第１のマスターと、呼処理監視制御する第２のマスターと、前記第１のマスターと前記第２のマスターとによって制御されるスレーブと、前記第１のマスターと前記第２のマスターとが情報共有するメモリ手段と、を備える無線基地局装置における状態監視システムであって、
前記スレーブの制御中状態のうち前記第２のマスターに関連しない情報をミラーリングして前記メモリ手段へ記憶させるファームウェアを前記第１のマスターに備える
ことを特徴とするミラーリングによる状態監視システム。
【請求項２】
ベースバンド制御機能を有するベースバンド制御手段と、
前記ベースバンド制御手段に対する休止設定及び休止解除を行う保守監視制御手段と、
前記ベースバンド制御手段に対する呼設定及び呼解除を行う呼処理監視制御手段と、
前記保守監視制御手段と前記呼処理監視制御手段とが情報共有する共有グローバルメモリ手段と、この共有グローバルメモリ手段が記憶する情報の一部をミラーリングして記憶する個別グローバルメモリ手段と、を含む共有メモリ手段と、を備える
ことを特徴とするミラーリングによる状態監視システム。
【請求項３】
前記保守監視制御手段が、ノードとのインターフェースを有する保守監視制御アプリケーションと前記共有メモリ手段及び前記ベースバンド制御手段とのインターフェースを有する保守監視制御ファームウェアとを備え、
前記保守監視制御ファームウェアが、前記共有グローバルメモリ手段の情報において前記保守監視制御アプリケーションへ報告する報告情報を前記個別グローバルメモリ手段へ記憶し、前記報告情報に関して、前記個別グローバルメモリ手段と前記共有グローバルメモリ手段とを更新することによってミラーリングする
ことを特徴とする請求項２に記載のミラーリングによる状態監視システム。
【請求項４】
前記保守監視制御手段が、ノードとのインターフェースを有する保守監視制御アプリケーションと、前記共有メモリ手段及び前記ベースバンド制御手段とのインターフェースを有する保守監視制御ファームウェアと、を備え、
前記呼処理監視制御手段が、前記ノードとのインターフェースを有する呼処理監視制御アプリケーションと、前記共有メモリ手段及び前記ベースバンド制御手段とのインターフェースを有する呼処理監視制御ファームウェアと、を備え、
前記保守監視制御ファームウェアと前記呼処理監視制御ファームウェアとが、前記共有グローバルメモリ手段及び前記個別グローバルメモリ手段にある情報を前記保守監視制御アプリケーションと前記呼処理監視制御アプリケーションとへ報告する
ことを特徴とする請求項２に記載のミラーリングによる状態監視システム。
【請求項５】
前記共有グローバルメモリ手段が、前記ベースバンド制御手段の制御中状態、使用状態、休止状態、ＡＬＭ状態、ＥＲＲ状態を記憶し、
前記個別グローバルメモリ手段が、前記ベースバンド制御手段の使用状態、休止状態、ＡＬＭ状態、ＥＲＲ状態を記憶する
ことを特徴とする請求項２に記載のミラーリングによる状態監視システム。
【請求項６】
保守監視制御する第１のマスターと、呼処理監視制御する第２のマスターと、前記第１のマスターと前記第２のマスターとによって制御されるスレーブと、を備える無線基地局装置における状態監視方法であって、
前記スレーブの制御中状態の情報を前記スレーブから前記第１のマスターへ送信し、
前記第２のマスターに関連しない情報を前記第１のマスターのファームウェアがミラーリングする
ことを特徴とするミラーリングによる状態監視方法。
【請求項７】
保守監視制御する第１のマスターと、呼処理監視制御する第２のマスターと、前記第１のマスターと前記第２のマスターとによって制御されるスレーブと、前記第１のマスターと前記第２のマスターとが情報共有するメモリ手段と、を備える無線基地局装置における状態監視方法であって、
前記スレーブの制御中状態の情報を前記スレーブから前記第１のマスターへ送信し、
送信された情報の内、前記第２のマスターに関連しない情報を前記第１のマスターのファームウェアがミラーリングし、
前記第２のマスターに関連する情報と前記ミラーリングした情報とを、前記第１のマスターのファームウェアが前記メモリ手段の異なる部分へそれぞれ記憶させる
ことを特徴とするミラーリングによる状態監視方法。
【発明の詳細な説明】
【０００１】
【発明の属する技術分野】
本発明は、無線基地局装置にて複数のＣＰＵを搭載してカード監視を行うマスターカードが複数枚存在するファームウェアに関し、特に状態監視に係るミラーリングによる状態監視システム及び方法に関する。
【０００２】
【従来の技術】
移動通信システムにおいて、特に無線基地局装置のファームウェアでは各機能を実現するためのＣＰＵを搭載した複数枚のカード（スレーブカード又はスレーブ）が存在する。また、これらのスレーブカードが個別に保有する情報があり、この情報を監視し、アプリケーションとのインターフェースを有して監視する、ＣＰＵが搭載された複数枚のカード（マスターカード又はマスター）が存在する。
【０００３】
しかし、マスターカードにおいて、それぞれが目的の異なる情報を保有し、マスターカード間で情報の一部を共有しなければならない場合、マスターカードそれぞれのファームウェアにてそれぞれ全く同一な情報を二重管理することとなる。状態の二重管理はそれぞれのアプリケーションに異なる情報を提供する可能性があり、二重管理をしないことが望ましい。
【０００４】
【発明が解決しようとする課題】
この二重管理をしないために、状態管理を一つとし、それらの情報を排他制御（つまり、複数のプロセス、プロセッサが同時にアクセスできないようにする）する場合には、これらの情報基が一つであるため、異なる情報がそれぞれのアプリケーションに報告されることは皆無となる。しかし、ファームウェアにおいては速度性能を求められることから、これらの情報を排他制御していたのでは、情報更新およびアプリケーションに対する報告が遅延することが想定される。
【０００５】
本発明の目的は、ミラーリングによる状態管理により、速度性能を求めた排他制御を実現することである。
【０００６】
【課題を解決するための手段】
本発明のミラーリングによる状態監視システムは、保守監視制御する第１のマスターと、呼処理監視制御する第２のマスターと、前記第１のマスターと前記第２のマスターとによって制御されるスレーブと、前記第１のマスターと前記第２のマスターとが情報共有するメモリ手段と、を備える無線基地局装置における状態監視システムであって、前記スレーブの制御中状態のうち前記第２のマスターに関連しない情報をミラーリングして前記メモリ手段へ記憶させるファームウェアを前記第１のマスターに備えることを特徴とする。
【０００７】
本発明のミラーリングによる状態監視システムは、ベースバンド制御機能を有するベースバンド制御手段と、前記ベースバンド制御手段に対する休止設定及び休止解除を行う保守監視制御手段と、前記ベースバンド制御手段に対する呼設定及び呼解除を行う呼処理監視制御手段と、前記保守監視制御手段と前記呼処理監視制御手段とが情報共有する共有グローバルメモリ手段と、この共有グローバルメモリ手段が記憶する情報の一部をミラーリングして記憶する個別グローバルメモリ手段と、を含む共有メモリ手段と、を備えることを特徴とする。
【０００８】
本発明のミラーリングによる状態監視システムは、前記保守監視制御手段が、ノードとのインターフェースを有する保守監視制御アプリケーションと前記共有メモリ手段及び前記ベースバンド制御手段とのインターフェースを有する保守監視制御ファームウェアとを備え、前記保守監視制御ファームウェアが、前記共有グローバルメモリ手段の情報において前記保守監視制御アプリケーションへ報告する報告情報を前記個別グローバルメモリ手段へ記憶し、前記報告情報に関して、前記個別グローバルメモリ手段と前記共有グローバルメモリ手段とを更新することによってミラーリングすることを特徴とする。
【０００９】
本発明のミラーリングによる状態監視システムは、前記保守監視制御手段が、ノードとのインターフェースを有する保守監視制御アプリケーションと、前記共有メモリ手段及び前記ベースバンド制御手段とのインターフェースを有する保守監視制御ファームウェアと、を備え、前記呼処理監視制御手段が、前記ノードとのインターフェースを有する呼処理監視制御アプリケーションと、前記共有メモリ手段及び前記ベースバンド制御手段とのインターフェースを有する呼処理監視制御ファームウェアと、を備え、前記保守監視制御ファームウェアと前記呼処理監視制御ファームウェアとが、前記共有グローバルメモリ手段及び前記個別グローバルメモリ手段にある情報を前記保守監視制御アプリケーションと前記呼処理監視制御アプリケーションとへ報告することを特徴とする。
【００１０】
本発明のミラーリングによる状態監視システムは、前記共有グローバルメモリ手段が、前記ベースバンド制御手段の制御中状態、使用状態、休止状態、ＡＬＭ状態、ＥＲＲ状態を記憶し、前記個別グローバルメモリ手段が、前記ベースバンド制御手段の使用状態、休止状態、ＡＬＭ状態、ＥＲＲ状態を記憶することを特徴とする。
【００１１】
本発明のミラーリングによる状態監視方法は、保守監視制御する第１のマスターと、呼処理監視制御する第２のマスターと、前記第１のマスターと前記第２のマスターとによって制御されるスレーブと、を備える無線基地局装置における状態監視方法であって、前記スレーブの制御中状態の情報を前記スレーブから前記第１のマスターへ送信し、前記第２のマスターに関連しない情報を前記第１のマスターのファームウェアがミラーリングすることを特徴とする。
【００１２】
本発明のミラーリングによる状態監視方法は、保守監視制御する第１のマスターと、呼処理監視制御する第２のマスターと、前記第１のマスターと前記第２のマスターとによって制御されるスレーブと、前記第１のマスターと前記第２のマスターとが情報共有するメモリ手段と、を備える無線基地局装置における状態監視方法であって、前記スレーブの制御中状態の情報を前記スレーブから前記第１のマスターへ送信し、送信された情報の内、前記第２のマスターに関連しない情報を前記第１のマスターのファームウェアがミラーリングし、前記第２のマスターに関連する情報と前記ミラーリングした情報とを、前記第１のマスターのファームウェアが前記メモリ手段の異なる部分へそれぞれ記憶させることを特徴とする。
【００１３】
【発明の実施の形態】
《概要》本発明は、マスターカード（第１のマスター、第２のマスターなど）が複数枚（この複数枚とは、図１に示すように、保守監視制御機能部１１が備える第１のマスターカードと呼処理監視制御機能部１２が備える第２のマスターカードを指す）存在する無線基地局装置１０における状態不一致を防ぐためのミラーリング制御の手段を提供する。
【００１４】
これらの条件下において、ベースバンド制御機能部１４で備えるスレーブカード（スレーブ）を監視する（スレーブ監視を目的とする）保守監視制御機能部１１で備える第１のマスターカード（第１のマスター）と呼制御を目的とする呼処理監視制御機能部１２で備える第２のマスターカード（第２のマスター）にてそれぞれ目的に添った必要である情報については排他制御を行い、目的と異なる情報については、ミラーリングにより状態管理を行い、これらの情報をアプリケーションに報告することにより、二重管理によって発生する状態不一致を防ぎ、且つ速度遅延に支障をきたさないこととなる。
【００１５】
無線基地局装置１０にて複数のＣＰＵを搭載してカード（スレーブ）監視を行うマスターカードが複数枚存在する（第１のマスター、第２のマスター）ファームウェアに関し、状態監視をする上でミラーリングすることによって、速度性能の向上が可能となる。
【００１６】
《構成》次に、本発明の実施の形態の構成について図面を参照して詳細に説明する。図１は、本発明の構成図であり、図１のステップＳ１〜Ｓ１２は制御のフローを示す。
【００１７】
無線基地局装置１０は、保守監視制御機能部１１（ＣＰＵを搭載する第１のマスターカードを備える第１のマスター）、呼処理監視制御機能部１２（ＣＰＵを搭載する第２のマスターカードを備える第２のマスター）、共有メモリ機能部１３、ベースバンド制御機能部１４（ＣＰＵを搭載するスレーブカードを備えるスレーブ）を含んで構成される。
【００１８】
保守監視制御機能部１１（保守監視制御手段）は、各種無線変復調部の運転管理、状態監視制御を行う。また、呼処理監視制御機能部１２（呼処理監視制御手段）は、無線回線管理、無線回線の設定、解放を行う。
【００１９】
保守監視制御機能部１１及び呼処理監視制御機能部１２では、ノードとのインターフェースを有するアプリケーションが実装され、保守監視制御機能部１１のアプリケーションは、アプリケーション部１１ａ（保守監視制御アプリケーション）とファームウェア部１１ｂ（保守監視制御ファームウェア）とに区分されている。また、呼処理監視制御機能部１２のアプリケーションは、アプリケーション部１２ａ（呼処理監視制御アプリケーション）とファームウェア部１２ｂ（呼処理監視制御ファームウェア）とに区分されている。
【００２０】
アプリケーション部１１ａ、１２ａは、ノードとのインターフェースを有する機能部で、上位ノードに無線基地局制御装置、下位ノードに移動局が存在する。ファームウェア部１１ｂ、１２ｂは、メーカ毎に機能を実現するハードウェアに搭載され、各機能とアプリケーションインターフェースを実現する機能部（保守監視制御機能部１１、呼処理監視制御機能部１２）とのインターフェースを有する。
【００２１】
共有メモリ機能部１３（共有メモリ手段）は、保守監視制御機能部１１及び呼処理監視制御機能部１２における情報管理の共有化に用いられる。また、共有メモリ機能部１３は、共有グローバルメモリ１３ａ（共有グローバルメモリ手段）と個別グローバルメモリ１３ｂ（個別グローバルメモリ手段）とを備え、保守監視制御機能部１１、呼処理監視制御機能部１２のどちらからでもアクセス可能としている。共有グローバルメモリ１３ａは、保守監視制御機能部１１及び呼処理監視制御機能部１２が共に使用している箇所である。これに対して、個別グローバルメモリ１３ｂは、保守監視制御機能部１１のみが使用するメモリエリア又は呼処理監視制御機能部１２のみが使用するメモリエリアを示すが、ここでは、個別グローバルメモリ１３ｂは、保守監視制御機能部１１のみが使用しているメモリエリアになっている。
【００２２】
ベースバンド制御機能部１４（ベースバンド制御手段）は、呼処理監視制御機能部１２が出力するユーザーデータ信号及び各種送信制御信号に誤り訂正符号化、フレーム化、データ変調、拡散変調などを施す機能（ベースバンド制御機能）を有し、保守監視制御機能部１１からの休止設定／休止解除を受ける。さらに、呼処理監視制御機能部１２からの呼設定／呼解除を受ける。
【００２３】
《動作》次に、図１を参照して動作を説明する。保守監視制御機能部１１では、状態監視・制御を目的とし、共有メモリ機能部１３及びベースバンド制御機能部１４の状態について監視・制御している。また、呼処理監視制御機能部１２では、呼設定／呼解除よる回線の状態を主として監視・制御している。
【００２４】
呼設定／呼解除については、アプリケーション部１２ａから呼設定や呼解除などのイベントを受付け（ステップＳ１）、物理的に割り当て可能か否かを判断（ステップＳ２）した上で、ベースバンド制御機能部１４に対してファームウェア部１２ｂが呼設定／呼解除を行うこととなる（ステップＳ３）。
【００２５】
ベースバンド制御機能部１４では、呼処理監視制御機能部１２より制御を指示されたことにより、従来使用されていない状態から使用状態になるので、状態を監視制御している保守監視制御機能部１１（ファームウェア部１１ｂ）に対し、状態変化の通知を行うこととなる（ステップＳ４→Ｓ５）。保守監視制御機能部１１（ファームウェア部１１ｂ）では、これらの状態変化に伴い、呼処理監視制御機能部１２（ファームウェア部１２ｂ）に使用状態（ベースバンド制御機能部１４が使用中である）であることにより使用不可である旨を共有グローバルメモリ１３ａに保持することとする（ステップＳ６）。
【００２６】
ベースバンド制御機能部１４から保守監視制御機能部１１（ファームウェア部１１ｂ）に通知された状態（ステップＳ４→Ｓ５によって通知された状態）は、呼処理監視制御機能部１２との情報共有に用いている共有グローバルメモリ１３ａを使用し、図２（ベースバンド制御機能部１４における状態遷移図）に示す状態遷移を基にアプリケーション部１１ａに対して図３に示す内容を状態変化の都度報告することとしている。なお、図２において、休止設定及び休止解除は保守監視制御機能部１１が行い、呼設定及び呼解除は呼処理監視制御機能部１２が行う。
【００２７】
ここで、アプリケーション部１１ａへ報告すべき情報は、呼処理監視制御機能部１２が共有グローバルメモリ１３ａのエリア内で情報を保持するエリア（使用状態）と保守監視制御機能部１１が共有グローバルメモリ１３ａのエリア内で情報を保持するエリア（休止状態／ＡＬＭ（アラーム）状態／ＥＲＲ（エラー）状態）とに分かれて（つまり、共有グローバルエリア１３ａの中が分かれている）おり、保守監視制御機能部１１と呼処理監視制御機能部１２とが同じエリアを更新することとなる。これらの情報が状態変化を伴うことにより、ファームウェア部１１ｂが認識し（ステップＳ７→Ｓ８）、アプリケーション部１１ａに報告することとなる（ステップＳ９）。ベースバンド制御機能部１４の状態変化をステップＳ４→Ｓ５→Ｓ６、ステップＳ４→Ｓ５→Ｓ７のフローによって、共有グローバルメモリ１３ａ、個別グローバルメモリ１３ｂの双方の状態を更新する。
【００２８】
しかし、ステップＳ１における制御を受付けて、ファームウェア部１２ｂで呼設定／呼解除が可能であるかを判断するためには、ベースバンド制御機能部１４から、保守監視制御機能部１１を介して通知されることが必要となって遅延が発生し、通知されるまでの間は呼設定／呼解除は行えないこととなる。よって、この遅延を無くするためにステップＳ４−１によって呼処理監視制御機能部１２とのアプリケーションインターフェースを確立し制御を行っている。（ステップＳ１→Ｓ２→Ｓ３→Ｓ４−１→Ｓ１−１）しかし、ステップＳ２において、図２の状態遷移図より、空き状態でなければ、使用状態を使用中にすることは出来ない。また、休止状態である場合であっても使用中にすることは不可である。よって判断結果（ファームウェア部１２ｂが呼設定／呼解除を判断した結果）によってはステップＳ１→Ｓ２→Ｓ２−１→Ｓ１−１といったフローになることがある。これらの判断結果ＮＧ（呼設定／呼解除ができない）となる場合を極力少なくする方法として、図４に示す共有グローバルメモリ１３ａにおけるテーブル構成を用いることとする。
【００２９】
図４のテーブル構成は、基本的にはアプリケーション部１１ａに対する報告内容と同一であり、この報告内容にベースバンド制御機能部１４の制御中状態を付加したものとなる。制御中状態は、アプリケーション部１２ａから呼設定／呼解除を指示された場合（使用／未使用に変化する場合）に用いられ、ステップＳ４−１を呼処理監視制御機能部１２（ファームウェア部１２ｂ）にて受信するまでは制御中状態を使用中状態とする。保守監視制御機能部１１（ファームウェア部１１ｂ）ではベースバンド制御機能部１４からの状態変化（ステップＳ４→Ｓ５）を受信し、ステップＳ６の操作を行う上で、制御中状態を判断し未使用状態であった場合にのみ制御中状態を更新する。
【００３０】
しかし、ベースバンド制御機能部１４の制御中状態が使用中であった場合は、個別グローバルメモリ１３ｂのエリアにおいてベースバンド制御機能部１４（ステップＳ５における状態変化）から受信した内容を基に更新することとする。なぜならば、共有グローバルメモリ１３ａにおいて、制御中であるならばベースバンド制御機能部１４への制御が実行されていることから、状態変化（ステップＳ５）が通知されるためここでの更新は行わず、次に報告されることが予想される情報を基に更新することとする。また、この時の状態変化通知は個別グローバルメモリ１３ｂに更新した内容でアプリケーション部１１ａに対し報告する。
【００３１】
尚、個別グローバルメモリ１３ｂのエリアは、基本的に共有グローバルメモリ１３ａのエリアに持つ情報要素と同等であるが、保守監視制御機能部１１（ファームウェア部１１ｂ）のみアクセス可であるエリアであるため、保守監視制御機能部１１のＣＰＵと呼処理監視制御機能部１２のＣＰＵとでなる複数のＣＰＵによる同一エリアへのアクセスは存在しない。よって、制御中状態を設ける必要性もない。図５に、個別グローバルメモリ１３ｂにおけるテーブル構成を示す。
【００３２】
保守監視制御機能部１１においては、ステップＳ１０より、アプリケーション部１１ａによる休止制御（図２に示す「休止設定／休止解除）が指定されたベースバンド制御機能部１４に行われる場合がある。この休止制御が行われる場合には、状態の排他制御（つまり、呼処理監視制御機能部１２との排他制御）が必要となることから、ベースバンド制御機能部１４の制御中状態を判定し、未使用状態であれば、制御中状態を使用状態とし、休止状態を更新することとする（ステップＳ１０→Ｓ１２、ステップＳ１０→Ｓ１１）。また、これらの操作（判定し、使用状態とし、更新するなどの操作）は共有グローバルメモリ１３ａ上にて行われ、個別グローバルメモリ１３ｂ上における更新は行えない。つまり、個別グローバルメモリ１３ｂ上における更新は、ファームウェア部１１ｂからのみ行うことになる。
【００３３】
個別グローバルメモリ１３ｂのエリアの更新は、ステップＳ１０→Ｓ１１→Ｓ４→Ｓ５のステップで行われ、さらにステップＳ５→Ｓ６及びステップＳ５→Ｓ７（ステップＳ５→Ｓ６で共有グローバルメモリ１３ａも更新される）が並行に行われ更新されることとなる。
【００３４】
また、同様にアプリケーション部１１ａへの報告は個別グローバルメモリ１３ｂのエリアを基にベースバンド制御機能部１４からの通知を基に報告され、ここでの更新はベースバンド制御機能部１４より状態報告が通知された場合のみとなることから、状態変化に伴う通知となる。
【００３５】
また、ベースバンド制御機能部１４からのイベント発生としては図３に示すＡＬＭ状態、ＥＲＲ状態が該当し、これらの状態変化が発生した場合には、ステップＳ４→Ｓ５→Ｓ７→Ｓ８→Ｓ９としてアプリケーション部１１ａに通知されることとなる。
【００３６】
共有グローバルメモリ１３ａにおける状態管理を呼処理監視制御機能部１２にて行うこととし、保守監視制御機能部１１においては個別グローバルメモリ１３ｂのエリア（共有グローバルメモリ１３ａのエリアをミラーリングしたエリア）を用いた状態管理を行うこととすることによって、共有グローバルメモリ１３ａのエリアにおける全ての排他制御を行う（ファームウェア部１１ｂ、１２ｂが同時に更新しない）ことが軽減（つまり、「全ての排他制御を行うことが軽減」とは、共有グローバルメモリ１３ａのエリアをミラーリングした情報については、排他制御が不要である。）されるため、ファームウェア１１ｂとファームウェア１２ｂの速度性能を十分に発揮することが可能となる。
【００３７】
つまり、ミラーリングは、ファームウェア部１１ｂが共有グローバルメモリ１３ａの情報においてアプリケーション部１１ａに報告すべき情報（呼処理監視制御機能部１２に関連しない情報）を個別グローバルメモリ１３ｂとして保有（記憶）し、報告すべき内容（情報）に関して、リアルタイムに個別グローバルメモリ１３ｂと共有グローバルメモリ１３ａとを更新することで行われる。
【００３８】
【発明の効果】
共有グローバルメモリにおける状態管理を呼処理監視制御機能部（第２マスター）にて行うこととし、保守監視制御機能部（第１マスター）においては個別グローバルメモリのエリア（共有グローバルメモリのエリアをミラーリングしたエリア）を用いた状態管理を行うこととすることによって、共有グローバルメモリ１３ａのエリアにおける全ての排他制御を行う（２つのファームウェア部が同時に更新しない）ことが軽減されるため、速度性能を十分に発揮することである。
【図面の簡単な説明】
【図１】本発明の構成図である。
【図２】ベースバンド制御機能部１４における状態遷移図である。
【図３】アプリケーションへの報告内容及びベースバンド制御機能部１４からの報告内容である。
【図４】共有グローバルメモリ１３ａのエリアにおけるテーブル構成である。
【図５】個別グローバルメモリ１３ｂのエリアにおけるテーブル構成である。
【符号の説明】
１０　　無線基地局装置
１１　　保守監視制御機能部
１１ａ　　　アプリケーション部
１１ｂ　　ファームウェア部
１２　　呼処理監視制御機能部
１２ａ　　アプリケーション部
１２ｂ　　ファームウェア部
１３　　共有メモリ機能部
１３ａ　　共有グローバルメモリ
１３ｂ　　個別グローバルメモリ
１４　　ベースバンド制御機能部
【図１】
2004078588.tif 000003
【図２】
2004078588.tif 000004
【図３】
2004078588.tif 000005
【図４】
2004078588.tif 000006
【図５】
2004078588.tif 000007